(57)【要約】【課題】相手の検知端子の長さを短くする。【解決手段】コネクタハウジング１０には前後方向に延出されるロックアーム２０が設けられるとともに検知端子５０が収容され、相手のコネクタハウジング９０にはロック受け部９８が設けられるとともに相手の雄側検知端子９７が収容される。検知端子５０は、前後方向に延出され、その長さ方向の中間部にコネクタハウジング１０の壁面に装着される支点部５２を有し、支点部５２を挟んで長さ方向の後部側に作用部５４を有し、支点部５２を挟んで長さ方向の前部側に接点部５３を有している。検知端子５０はロックアーム２０の撓み動作に連動して支点部５２を中心にシーソ状に傾動され、これによって検知回路のオンオフがなされる。【選択図】図３
2008103185.tif 000002
【特許請求の範囲】
【請求項１】
互いの前面同士を対向させつつ嵌合可能とされる一対のコネクタハウジングを備え、このうち、一方のコネクタハウジングには前後方向に延出されるロックアームが設けられるとともに検知端子が収容され、他方のコネクタハウジングにはロック受け部が設けられるとともに相手の検知端子が収容されており、
前記検知端子は、前後方向に延出され、その長さ方向の中間部に前記一方のコネクタハウジングの壁面に装着される支点部を有し、前記支点部を挟んで長さ方向の後部側に作用部を有し、前記支点部を挟んで長さ方向の前部側に接点部を有しており、
前記両コネクタハウジングが半嵌合の状態では、前記ロックアームが撓み変形し、それに伴って前記ロックアーム側の押圧部が前記作用部を押圧することで前記検知端子が前記支点部を中心としてシーソ状に傾動して、前記接点部が前記相手の検知端子から離間する位置に変位され、
前記両コネクタハウジングが正規嵌合された状態では、前記ロックアームが復動して前記ロック受け部を係止することで前記両コネクタハウジングがロックされるとともに、前記ロックアームの復帰動作に伴い前記押圧部による押圧状態が解除されて前記検知端子が復動することにより、前記接点部が前記相手の検知端子と接触して検知回路が閉成されることを特徴とするコネクタ。
【請求項２】
前記検知端子は、前記接点部および前記作用部を含みつつ前後方向に延出される平板状の端子本体を備え、
前記支点部は、前記端子本体の幅方向両側縁から一対が張り出す形態とされて、前記コネクタハウジングの壁面内部に圧入固定されることを特徴とする請求項１に記載のコネクタ。
【請求項３】
互いの前面同士を対向させつつ嵌合可能とされる一対のコネクタハウジングのうちの一方のコネクタハウジングに収容される検知端子であって、
前後方向に延出する形態とされ、その長さ方向の中間部には前記一方のコネクタハウジングの壁面に装着される支点部が備わり、前記支点部を挟んで長さ方向の後部側には前記一方のコネクタハウジングに設けられたロックアーム側の押圧部と係合可能とされる作用部が備わり、前記支点部を挟んで長さ方向の前部側には他方のコネクタハウジングに収容された相手の検知端子と接触可能とされる接点部が備わり、
前記両コネクタハウジングが半嵌合の状態では、前記ロックアームが撓み変形し、それに伴って前記押圧部が前記作用部を押圧することで前記検知端子が前記支点部を中心としてシーソ状に傾動して、前記接点部が前記相手の検知端子から離間する位置に変位され、
前記両コネクタハウジングが正規嵌合された状態では、前記ロックアームが復動して前記他方のコネクタハウジングに設けられたロック受け部を係止することで前記両コネクタハウジングがロックされるとともに、前記ロックアームの復帰動作に伴い前記押圧部による押圧状態が解除されて前記検知端子が復動することにより、前記接点部が前記相手の検知端子と接触して検知回路が閉成されることを特徴とする検知端子。
【請求項４】
前記支点部は、前記接点部および前記作用部を含みつつ前後方向に延出されて平板状をなす端子本体の幅方向両側縁から一対が張り出す形態とされて、前記コネクタハウジングの壁面内部に圧入固定されることを特徴とする請求項３に記載の検知端子。 
【発明の詳細な説明】
【技術分野】
【０００１】
本発明は、コネクタ及びコネクタに収容される検知端子に関する。
【背景技術】
【０００２】
互いに嵌合される一対のコネクタハウジングが正規嵌合されたことを検知する手段として検知端子を利用したものが知られている。例えば、特許文献１に記載のものは、コネクタハウジングに後方から検知端子が挿入されて保持される一方、相手のコネクタハウジングに相手の検知端子が装着される、という構成である。コネクタハウジングには同コネクタハウジングの上面前端から後方へ向かって延出されるロックアームが片持ち状でかつ撓み変形可能（揺動変位可能）に形成されている。ロックアームの後端部には上下方向に振幅された検知端子に対する押圧部が設けられている。
【０００３】
検知端子は、ロックアームの直下方に配置され、前端部にコネクタハウジングの前部内壁に支持される支点部を備えるとともに支点部から後方へ向かって斜め上後方に延出される本体部を備え、本体部の後端部にロックアームの押圧部によって押圧される作用部が上方へ山型に回曲して形成され、本体部の前後方向中央部に相手の検知端子と接触する接点部が上方へ突出して形成されている。一方、相手の検知端子は、全体としてピン状をなし、前後方向に細長く延出する形態とされる。相手のコネクタハウジングには、相手の検知端子の上面に沿ってリブが突出して形成され、相手の検知端子の変形を防止する。  
コネクタハウジングが相手のコネクタハウジングと嵌合する過程では、ロックアームが相手のコネクタハウジングに設けられた突状のロック受け部に乗り上げられて撓み変形され、それに伴って押圧部が作用部と当接してこれを押し下げることで、接点部が相手の検知端子から離間される。コネクタハウジングが相手のコネクタハウジングと正規嵌合された状態では、ロックアームが復動してロック受け部を係止することで両コネクタハウジングが嵌合状態にロックされるとともに、ロックアームの復帰動作に伴って作用部が上方へ変位して接点部が相手の検知端子に下から当接する。これにより、両検知端子を介して検知回路が閉成され、両コネクタハウジングが正規嵌合されたことが電気的に検知される。
【特許文献１】特開平１０−４１０１８号公報
【発明の開示】
【発明が解決しようとする課題】
【０００４】
上記の場合、ロックアームの後端部に設けられた押圧部が検知端子の同じく後端部に設けられた作用部を押圧することで、接点部が相手の検知端子から離間されるため、作用部および接点部の位置がコネクタハウジングの前面から相当後方（奥側）へ入った位置に設定されることとなった。そのため、相手の検知端子は、少なくとも接点部と接触可能な位置にまでその前端位置を延長させる必要があり、その分、他の信号端子よりも長くなって上記リブによる保護が必須の構成となっていた。結果、コネクタ小型化の要請に応えられず、かつ、コストが高くつくという問題があった。
【０００５】
本発明は上記のような事情に基づいて完成されたものであって、相手の検知端子の長さを短くすることを目的とする。
【課題を解決するための手段】
【０００６】
上記の目的を達成するための手段として、請求項１の発明は、互いの前面同士を対向させつつ嵌合可能とされる一対のコネクタハウジングを備え、このうち、一方のコネクタハウジングには前後方向に延出されるロックアームが設けられるとともに検知端子が収容され、他方のコネクタハウジングにはロック受け部が設けられるとともに相手の検知端子が収容されており、前記検知端子は、前後方向に延出され、その長さ方向の中間部に前記一方のコネクタハウジングの壁面に装着される支点部を有し、前記支点部を挟んで長さ方向の後部側に作用部を有し、前記支点部を挟んで長さ方向の前部側に接点部を有しており、前記両コネクタハウジングが半嵌合の状態では、前記ロックアームが撓み変形し、それに伴って前記ロックアーム側の押圧部が前記作用部を押圧することで前記検知端子が前記支点部を中心としてシーソ状に傾動して、前記接点部が前記相手の検知端子から離間する位置に変位され、前記両コネクタハウジングが正規嵌合された状態では、前記ロックアームが復動して前記ロック受け部を係止することで前記両コネクタハウジングがロックされるとともに、前記ロックアームの復帰動作に伴い前記押圧部による押圧状態が解除されて前記検知端子が復動することにより、前記接点部が前記相手の検知端子と接触して検知回路が閉成される構成としたところに特徴を有する。
【０００７】
請求項２の発明は、請求項１に記載のものにおいて、前記検知端子は、前記接点部および前記作用部を含みつつ前後方向に延出される平板状の端子本体を備え、
前記支点部は、前記端子本体の幅方向両側縁から一対が張り出す形態とされて、前記コネクタハウジングの壁面内部に圧入固定されるところに特徴を有する。
【０００８】
請求項３の発明は、互いの前面同士を対向させつつ嵌合可能とされる一対のコネクタハウジングのうちの一方のコネクタハウジングに収容される検知端子であって、前後方向に延出する形態とされ、その長さ方向の中間部には前記一方のコネクタハウジングの壁面に装着される支点部が備わり、前記支点部を挟んで長さ方向の後部側には前記一方のコネクタハウジングに設けられたロックアーム側の押圧部と係合可能とされる作用部が備わり、前記支点部を挟んで長さ方向の前部側には他方のコネクタハウジングに収容された相手の検知端子と接触可能とされる接点部が備わり、前記両コネクタハウジングが半嵌合の状態では、前記ロックアームが撓み変形し、それに伴って前記押圧部が前記作用部を押圧することで前記検知端子が前記支点部を中心としてシーソ状に傾動して、前記接点部が前記相手の検知端子から離間する位置に変位され、前記両コネクタハウジングが正規嵌合された状態では、前記ロックアームが復動して前記他方のコネクタハウジングに設けられたロック受け部を係止することで前記両コネクタハウジングがロックされるとともに、前記ロックアームの復帰動作に伴い前記押圧部による押圧状態が解除されて前記検知端子が復動することにより、前記接点部が前記相手の検知端子と接触して検知回路が閉成される構成としたところに特徴を有する。
【０００９】
請求項４の発明は、請求項３に記載のものにおいて、前記支点部は、前記接点部および前記作用部を含みつつ前後方向に延出されて平板状をなす端子本体の幅方向両側縁から一対が張り出す形態とされて、前記コネクタハウジングの壁面内部に圧入固定されるところに特徴を有する。
【発明の効果】
【００１０】
＜請求項１および請求項３の発明＞
両コネクタハウジングが半嵌合の状態では、ロックアームの撓み動作によって押圧部が検知端子の作用部を押圧することにより、検知端子は支点部を中心としてシーソ状に傾動される一方、両コネクタハウジングが正規嵌合された状態では、検知端子の前部側にある接点部が相手の検知端子と接触して検知回路が閉成されるから、従来のように押圧部がロックアームの後部側にあってもコネクタハウジングの前面側に検知端子の接点部を設定することが可能となる。結果、相手の検知端子の長さを短く設定することができ、コネクタの大型化を回避できるとともに、相手の検知端子を他の信号端子と同じ長さで同じ形状に揃えることによって他の信号端子との共有化を図れ、かつ、従来において相手の検知端子を保護するために必要とされたリブを廃止できる。
【００１１】
＜請求項２および請求項４の発明＞
支点部が端子本体の幅方向両側縁から一対張り出してコネクタハウジングの壁面内部に圧入されるから、検知端子は支点部を中心としてばね性をもって傾動する。したがって、両コネクタハウジングが正規嵌合されるに伴い、検知端子の接点部を相手の検知端子側へと迅速かつ確実に変位させることが可能となる。
【発明を実施するための最良の形態】
【００１２】
＜実施形態１＞
本発明の実施形態１を図１ないし図６によって説明する。  
本実施形態のコネクタは、エアバック用のコネクタを例示するものであり、コネクタハウジング１０（本発明における一方のコネクタハウジング）、フロントマスク８０、サイドリテーナ８５、雌側端子金具９５（以下、信号端子）、検知端子５０、短絡端子８９を備え、コネクタハウジング１０は相手のコネクタハウジング９０（本発明における他方のコネクタハウジング）と嵌合可能とされる。なお、前後方向については、相手のコネクタハウジング９０との嵌合面側を前方とする。
【００１３】
相手のコネクタハウジング９０は合成樹脂製であって、図２に示すように、全体として筒状、詳しくは角筒状をなす嵌合筒部９１を備え、その奥壁に、複数の雄側端子金具９２が装着されている。雄側端子金具９２は、水平部９３と垂直部９４とで全体としてＬの字をなし、水平部９３の先端側が嵌合筒部９１内に突出状態で配され、垂直部９４の先端側（垂下端側）がプリント回路基板１００の導電路に接続されている。そして、この雄側端子金具９２は、上下方向（高さ方向）に三段に分かれて形成され、このうち、上段に位置する雄側端子金具９２が並び合う間に、雄側検知端子９７（相手の検知端子）が配設されている。雄側検知端子９７は、隣接する上段の雄側端子金具９２と同形状であって全体としてＬの字をなし、その高さ位置および前端位置が隣接する雄側端子金具９２と同じ位置に揃えられている。雄側検知端子９７および雄側端子金具９２の各前端位置は、いずれも嵌合筒部９１の前後長さの中央より少し後方に設定されている。
【００１４】
また、嵌合筒部９１の上壁の前端内面には、ロック受け部９８が下向きに突出して形成されている。このロック受け部９８の突出量は、後述するロックアーム２０の撓み量と同じとされる。嵌合筒部９１の奥壁には、下段に位置する雄側端子金具９２と中段に位置する雄側端子金具９２との間に、断面Ｌの字形をなす短絡端子８９の解除片９９が二つ横並びで前方へ突出して形成されている。
【００１５】
コネクタハウジング１０は合成樹脂製であって、全体としてブロック状をなし、雄側端子金具９２と対応する位置に、雌側端子金具９５を収容するキャビティ１１が上下三段に形成されている。雌側端子金具９５はキャビティ１１の内壁前端部に撓み可能に形成されたランス１２によって抜け止め状態で一次的に係止される。雌側端子金具９５の後端には電線１０１が接続されてコネクタハウジング１０の後面から外部へ導出される。  
コネクタハウジング１０の前面は、フロントマスク８０により覆われ、フロントマスク８０はコネクタハウジング１０の前面に沿って仮係止位置と本係止位置との間を上下方向（高さ方向であって両コネクタハウジング１０，９０の嵌合・離脱方向と直交する方向）に変位可能とされる。かかるフロントマスク８０は、導通検査時に仮係止位置に下げられ、両コネクタハウジング１０，９０の嵌合時には本係止位置に上げられるものであり、相手側の雄側端子金具９２および雄側検知端子９７を挿通する挿通口８１を複数整列して有するとともに、この挿通口８１とは別位置に、導通検査用の治具を挿通する治具挿通口８２を複数整列して有している。
【００１６】
コネクタハウジング１０の外面にはサイドリテーナ８５の挿入溝１６が開設されている。この挿入溝１６はコネクタハウジング１０の下面から両側面に亘る三面にまたがって開口され、ここに下からサイドリテーナ８５が装着される。サイドリテーナ８５は、全体として櫛歯状をなし、仮係止位置と本係止位置との間を上下方向に変位可能とされ、仮係止位置に留め置かれたときには、雌側端子金具９５の挿抜動作を許容し、本係止位置に留め置かれたときには、キャビティ１１内に正規挿入された雌側端子金具９５を抜け止め状態で二次的に係止する役割を有している。  
コネクタハウジング１０には、下段のキャビティ１１と中段のキャビティ１１との間における幅方向両側に、短絡端子８９の収容部１９が凹設されている。短絡端子８９は、全体として前後方向に延出する形態とされ、その中間部がサイドリテーナ８５の内部を貫通するとともに、その前部に二股に分かれた接触片８８が設けられている。かかる短絡端子８９は、常には、各接触片８８が対応する雌側端子金具９５に下から弾接して両雌側端子金具９５を短絡状態となし、両コネクタハウジング１０，９０の嵌合時に、相手のコネクタハウジング９０の解除片９９が各接触片８８のうちの一方と対応する雌側端子金具９５との間に分け入ってこの一方の接触片８８を短絡解除方向に押し下げることで、短絡状態を解除する。
【００１７】
コネクタハウジング１０にはロックアーム２０が一体に形成されている。ロックアーム２０は、コネクタハウジング１０の上面との間に間隔をあけつつ前後方向（両コネクタハウジング１０，９０の嵌合・離脱方向と平行な方向）に延びるアーム部２１を備えている。このアーム部２１は、コネクタハウジング１０の上面の前端から後方へ向かって片持ち梁状に延出する形態とされ、その前端の根元部に、フロントマスク８０の上端が進入する挿入空間６０が切り欠き形成されている。  
アーム部２１の幅方向中央部は幅方向両側部より一段落ちて配置され、その上面に爪状のロック突起２５が突設されている。ロック突起２５の前面は頂上に向かって弧状に後退する案内面２６とされ、両コネクタハウジング１０，９０の嵌合過程ではこの案内面２６にロック受け部９８が摺接してロックアーム２０の撓み動作が円滑になされる。そして、ロック突起２５の後面は略垂直に切り立つ係止面２７とされ、両コネクタハウジング１０，９０が正規嵌合されたときにはこの係止面２７にロック受け部９８が両コネクタハウジング１０，９０の抜け方向で対面することによって両コネクタハウジング１０，９０が嵌合状態にロックされる。
【００１８】
ロックアーム２０の後端部には、図５に示すように、アーム部２１の上端両側から立ち上げられた一対の支持脚２８に支持されることによってアーム部２１より一段高い位置に、操作部２９が形成されている。ロックアーム２０のロック状態を解除する際には、この操作部２９を押圧操作することにより、ロックアーム２０をロック解除方向へ強制的に撓み変形させる。そして、ロックアーム２０の下面の後端部には、前後方向についてロック突起２５よりも後方位置であって操作部２９とほぼ同じ位置に、検知端子５０に対して押圧状態で当接可能とされる押圧部２４が形成されている。
【００１９】
コネクタハウジング１０の幅方向略中央部には、同コネクタハウジング１０の前面および上面に開口するようにして検知端子５０の収容凹部３０が凹設されている。収容凹部３０には同収容凹部３０の底面からステージ部３１が突設されており、このステージ部３１の上端にはコネクタハウジング１０の一般上面より一段低くなった検知端子５０の組付空間３２が保有されている。ステージ部３１の後部において組付空間３２を挟んだ両側には、図４に示すように、検知端子５０を圧入するための圧入受部３３が収容凹部３０の側内壁に突成されている。圧入受部３３には検知端子５０の圧入空間３４が前面に袋状に開口しかつ斜め上後方に延出して形成されている。検知端子５０はステージ部３１に対してシーソ状に支持されており、ステージ部３１を挟んだ前後の空間が、揺動される検知端子５０の逃がし空間３５となる。このうち、ステージ部３１を挟んだ前側の逃がし空間３５は相手の雄側検知端子９７が進入可能とされる進入空間３６とされ、両コネクタハウジング１０，９０の嵌合過程ではこの進入空間３６の底面に沿って雄側検知端子９７が進入する。
【００２０】
続いて検知端子５０について説明する。検知端子５０は導電性の金属板を所定形状に打ち抜いたあと曲げ加工して形成され、図６に示すように、その板面を上下に向けて配置される。詳しくは検知端子５０は、前後方向に延出される帯状の端子本体５１を備え、端子本体５１の前端側には相手の雄側検知端子９７と接触可能とされる接点部５３が形成され、端子本体５１の後端部にはロックアーム２０の押圧部２４によって押圧される作用部５４が形成され、さらに、端子本体５１の中間部、詳しくは端子本体５１の前後方向（長さ方向）中央部より少し後方位置にはコネクタハウジング１０の壁面に支持される支点部５２が形成されている。
【００２１】
また、端子本体５１には同端子本体５１の前端から支点部５２の形成領域近傍にかけてスリット５５が切り入れられており、このスリット５５を挟んだ両側に、左右一対の撓み片５６が形成されている。接点部５３は各撓み片５６の先端部にて下向きに屈曲して形成され、略Ｕの字形をなしていている。作用部５４は端子本体５１の後端部を上方へ山型に回曲して形成され、その曲面状をなす頂部外面にロックアーム２０の押圧部２４が当接可能となっている。そして、支点部５２は、端子本体５１の幅方向両側縁から左右一対が側方へ張り出して形成され、全体として翼状をなしている。詳しくは支点部５２は、端子本体５１の幅方向両側縁から側方（嵌合方向と直交する方向）に突出する基端部５７と、基端部５７の突出端から後方（相手のコネクタハウジング９０の嵌合方向）に突出する圧入本体部５８とからなり、略Ｌの字をなしている。
【００２２】
支持部５２の圧入本体部５８は圧入受部３３の圧入空間３４に対して斜め上後方へ向かって挿入される。したがって、検知端子５０は、図２に示すように、自然状態において前下がりの傾斜姿勢をとっている。このように検知端子５０が傾斜姿勢をとる初期位置から、作用部５４が押圧部２４によって押圧されると、検知端子５０（詳しくは端子本体５１）が支点部５２を中心として弾性的に傾動変位させられ、接点部５３が持ち上がって相手の雄側検知端子９７とは非干渉となる非接触位置へと変位する。この場合に、検知端子５０は、支点部５２を挟んだ前部側がスリット５５を介することで撓み変形し易い形状となる一方、支点部５２を挟んだ後部側が切れ目のない連続面とされることで剛性が高められているため、変位動作の円滑性が保障される。
【００２３】
次に、本実施形態の作用を説明する。  
まず、短絡端子８９の収容部１９に前方から短絡端子８９を挿入して装着するとともに、検知端子５０の収容凹部３０に前方から検知端子５０を挿入して装着する。検知端子５０を装着する際には、圧入受部３３の圧入空間３４に検知端子５０の圧入本体部５８をその後端から圧入する。すると、検知端子５０は傾斜姿勢をとりつつコネクタハウジング１０の内壁面に装着固定される。こうして検知端子５０が初期位置に保持されると、接点部５３は収容凹部３０（詳しくは進入空間３６）の底面より少し離間して配され、作用部５４はロックアーム２０側に近接して配される。この場合、図２に示すように、接点部５３と収容凹部３０の底面との離間距離は、相手の雄側検知端子９７の厚みより若干短くなっており、また、作用部５４は、ロックアーム２０側に接近することでロックアーム２０の押圧部２４の撓み動作領域に入り込む。検知端子５０を装着した後、接点部５３の高さ位置を前方から赤外線照射等によって確認することで、検知端子５０が正しく装着されたかどうかを検査する。ここで、接点部５３はコネクタハウジング１０の前端側に配されているから、従来のように接点部５３がコネクタハウジング１０の前面から奥側へ入った位置に配されるものと違って視認性が良好となり、前記高さ検査を容易に行うことができる。
【００２４】
そして、コネクタハウジング１０の前面にフロントマスク８０を装着するとともに、コネクタハウジング１０の挿入溝１６にサイドリテーナ８５を挿入し、さらに、コネクタハウジング１０のキャビティ１１内に後方から雌側端子金具９５を挿入してランス１２により一次係止する。全ての雌側端子金具９５を挿入したら、サイドリテーナ８５を本係止位置に移動させて、雌側端子金具９５を二次係止する。
【００２５】
次いで、コネクタハウジング１０と相手のコネクタハウジング９０の両前面同士を正対させ、その状態から相手のコネクタハウジング９０の嵌合筒部９１内にコネクタハウジング１０を嵌入する。すると、図３に示すように、両コネクタハウジング１０，９０の嵌合途上で、ロックアーム２０のロック突起２５がロック受け部９８に乗り上げられる。これにより、アーム部２１が撓み変形されるとともに押圧部２４が下方へ変位され、かつ、この押圧部２４によって検知端子５０の作用部５４が図５に示す矢線方向に押し下げられる。こうして作用部５４、つまり検知端子５０の後部側が押し下げられるに伴い、検知端子５０は支点部５２を中心としてシーソ状に傾動され、検知端子５０の前部側、つまり接点部５３が収容凹部３０の底面から離間するよう持ち上げられる。接点部５３の持ち上げ後、収容凹部３０の底面に沿って雄側検知端子９７が進入してくるが、このとき、収容凹部３０の底面には雄側検知端子９７の挿入路が空いているため、雄側検知端子９７と接点部５３とは互いに接触し合うことはない。  
また両コネクタハウジング１０，９０の嵌合過程では、解除片９９が短絡端子８９の接触片８８を押し下げてその短絡状態を解除する。かくしてコネクタハウジング１０が嵌合筒部９１に正規深さで挿入されると、図１に示すように、ロック突起２５がロック受け部９８を通過してアーム部２１が元の水平姿勢に復動し、それに伴ってロック突起２５がロック受け部９８と両コネクタハウジング１０，９０の抜け方向で対面し、両コネクタハウジング１０，９０が嵌合状態にロックされる。
【００２６】
コネクタハウジング１０が正規嵌合され、作用部５４に対する押圧部２４の押圧状態が解除されると、図１に示すように、検知端子５０も初期位置に復動して、接点部５３が対応する雄側検知端子９７にそれぞれ上から接触する。この雄側検知端子９７に対する接点部５３の接触動作に伴い、検知回路がループ状に閉成され、これにより、両コネクタハウジング１０，９０が嵌合状態にロックされていること、ひいては両コネクタハウジング１０，９０が正規嵌合されていることが電気的に検知される。この状態で、接点部５３はやや撓んだ状態にあり、作用部５４は押圧部２４から離間した自由状態にある。
【００２７】
一方、コネクタハウジング１０が嵌合筒部９１内に正規深さで嵌入されずに半嵌合の状態で留め置かれると、ロック受け部９８にロック突起２５が乗り上げられてロックアーム２０が撓んだ状態のままとなり、作用部５４に対する接点部５３の押圧状態が解除されず、接点部５３が雄側検知端子９７から離間した非接触位置に保たれる。よって、検知回路が閉成されることはなく、これをもって両コネクタハウジング１０，９０が正規嵌合されていないことがわかる。
【００２８】
以上説明したように、本実施形態によれば次の効果が奏せられる。  
ロックアーム２０の撓み動作に連動して検知端子５０が支点部５２を中心としてシーソ状に傾動されることで、検知回路のオンオフがなされるから、ロックアーム２０がコネクタハウジング１０の前端から後方へ片持ち梁状に延出されてロックアーム２０の後端側に検知端子５０に対する押圧部２４が設けられている、従前のロックアーム２０を用いても、コネクタハウジング１０の前端側に検知端子５０の接点部５３を設定することが可能となる。したがって、雄側検知端子９７の長さを格別に長くする必要はなく、既述したように、隣接する雄側端子金具９２と同じ長さ寸法に設定することが可能となる。結果、雄側検知端子９７を保護するために必要とされたリブを廃止できるとともに、隣接する雄側端子金具９２との共用化を図れることによって製造コストを低減できる。また、両検知端子５０，９７の接点位置がコネクタハウジング１０の前面寄りに設定されることで、コネクタ全体の小型化を実現することができる。
【００２９】
さらに、検知端子５０の支点部５２が端子本体５１の幅方向両側縁から一対張り出してコネクタハウジング１０の圧入受部３３に圧入されるから、検知端子５０は、支点部５２を中心としてばね性をもって弾性的に傾動する。したがって、両コネクタハウジング１０，９０が正規嵌合されるに伴い、検知端子５０の接点部５３を相手の検知端子５０側へ迅速かつ確実に変位させることが可能となる。
【００３０】
＜他の実施形態＞
本発明は上記記述及び図面によって説明した実施形態に限定されるものではなく、例えば次のような実施形態も本発明の技術的範囲に含まれる。  
（１）上記実施形態では、検知端子の端子本体は初期位置で前下がりの傾斜姿勢をとっていたが、本発明によれば、検知端子の端子本体は初期位置で略水平姿勢をとっていてもよい。  
（２）上記実施形態では、押圧部はロックアームに直接設けられていたが、本発明によれば、押圧部はロックアームと検知端子との間に配置された別の可動部材に設けられていてもよい。  
（３）上記実施形態では、押圧部はロックアームの後端部に設けられていたが、本発明によれば、押圧部はロックアームの中間部に設けられていてもよい。  
（４）本発明によれば、接点部は検知端子のうち支点部を挟んだ前部側に設けられ、作用部は検知端子のうち支点部を挟んだ後部側に設けられていればよく、検知端子の端縁部に設けられている必要はない。
【図面の簡単な説明】
【００３１】
【図１】実施形態１において両コネクタハウジングが正規嵌合された状態を示す側断面図
【図２】両コネクタハウジングが嵌合される前の状態を示す側断面図
【図３】両コネクタハウジングの嵌合過程で検知端子の接点部が非接触位置に持ち上がった状態を示す側断面図
【図４】コネクタハウジングに対する検知端子の圧入状態を示す横断面図
【図５】コネクタの背面図
【図６】検知端子がコネクタハウジングの壁面に支持された状態を示す斜視図
【符号の説明】
【００３２】
１０…コネクタハウジング（一方のコネクタハウジング）
２０…ロックアーム
２１…アーム部
２４…押圧部
３０…収容凹部
３１…ステージ部
５０…検知端子
５１…端子本体
５２…支点部
５３…接点部
５４…作用部
９０…相手のコネクタハウジング（他方のコネクタハウジング）
９２…雄側端子金具
９５…雌側端子金具
９７…雄側検知端子（相手の検知端子）
【図１】
2008103185.tif 000003
【図２】
2008103185.tif 000004
【図３】
2008103185.tif 000005
【図４】
2008103185.tif 000006
【図５】
2008103185.tif 000007
【図６】
2008103185.tif 000008